(57)【要約】      （修正有）【課題】使用者の手に着用可能な農産物検出用電子装置を提供する。【解決手段】掌部１１０Ｐ及び少なくとも１つの指部１１０Ｔ、１１０Ｉ、１１０Ｍ、１１０Ｒ、１１０Ｌを含む手袋本体１１０と、農産物に対して外形感知を行って、農産物の曲率情報を取得するための、手袋本体に設けられる少なくとも１つの屈曲感知ユニット２１０と、農産物に対して色感知を行って、農産物の色情報を取得するための、手袋本体に設けられる少なくとも１つの色感知ユニット２３０と、を備える。【選択図】図３
0003209203.tif 000002
【実用新案登録請求の範囲】
【請求項１】
掌部及び少なくとも１つの指部を含む手袋本体と、
農産物に対して外形感知を行って、前記農産物の少なくとも１つの曲率情報を取得するための、前記手袋本体の少なくとも１つの指部又は前記掌部に設けられる少なくとも１つの屈曲感知ユニットと、
前記農産物に対して色感知を行って、前記農産物の少なくとも１つの色情報を取得するための、前記手袋本体の前記掌部又は前記少なくとも１つの指部に設けられる少なくとも１つの色感知ユニットと、
を備える農産物検出用電子装置。
【請求項２】
前記少なくとも１つの屈曲感知ユニットの一方は、前記少なくとも１つの指部の第１の指部から前記手袋本体の第２の指部又は前記掌部まで延出する請求項１に記載の農産物検出用電子装置。
【請求項３】
前記第１の指部は親指部であり、且つ前記第２の指部は人差し指部である請求項２に記載の農産物検出用電子装置。
【請求項４】
前記農産物に対して重量感知を行って、前記農産物の重量情報を取得するための、前記手袋本体の前記掌部に設けられる圧力感知ユニットを更に備える請求項１に記載の農産物検出用電子装置。
【請求項５】
前記少なくとも１つの曲率情報及び前記少なくとも１つの色情報に対して算出処理を行って、算出処理結果及び前記農産物の対応のランク分け規則情報に基づいて前記農産物の類別を決めるための、前記少なくとも１つの屈曲感知ユニット及び前記少なくとも１つの色感知ユニットに接合されるように、前記手袋本体の中に設けられる処理ユニットを更に備える請求項１に記載の農産物検出用電子装置。
【請求項６】
前記少なくとも１つの曲率情報、前記少なくとも１つの色情報、前記算出処理結果又は前記農産物の前記類別を提示するための、前記手袋本体の中に設けられる通知ユニットを更に備える請求項５に記載の農産物検出用電子装置。
【請求項７】
前記通知ユニットは、ディスプレイ、パイロットランプ、音声プレイヤー又は振動器である請求項６に記載の農産物検出用電子装置。
【請求項８】
前記少なくとも１つの屈曲感知ユニット、前記少なくとも１つの色感知ユニット及び処理ユニットに給電するための、前記手袋本体の中に設けられる給電ユニットを更に備える請求項１に記載の農産物検出用電子装置。
【請求項９】
前記少なくとも１つの曲率情報又は前記少なくとも１つの色情報を記憶するための、前記手袋本体の中に設けられるデータ記憶ユニットを更に備える請求項１に記載の農産物検出用電子装置。
【請求項１０】
前記少なくとも１つの曲率情報又は前記少なくとも１つの色情報を外部システムに伝送するための、前記手袋本体の中に設けられる通信ユニットを更に備える請求項１に記載の農産物検出用電子装置。
【考案の詳細な説明】
【技術分野】
【０００１】
本考案は、農産物検出用電子装置に関し、特に、使用者の手に着用可能な農産物検出用電子装置に関する。
【背景技術】
【０００２】
農産物は、一般的に、市場の要求に応じて複数のランクに分けられて、例えば、パッケージング及び加工等の対応する後処理をされる。一方、農産物を収穫できるかの判断、及び収穫された農産物の分類作業を行う場合、作業者の目、鼻及び手等の感覚器官によって農産物の品質を判断することは、一般的である。しかしながら、このように人で判断する場合に立脚する基準は、一般的に、作業者の経験や状態、環境、時間等によって差異があるので、農産物の品質分類の正確度が異なっている。農産物を検出してランクに分ける自動化検出システムが市販されているが、この自動化検出システムは、一般的に、大型で、且つ農産物を輸送する途中で農産物を壊しやすく、後の農産物の管理及び販売等の流れに影響を与えてしまう。
【考案の概要】
【考案が解決しようとする課題】
【０００３】
本考案は、使用者が農産物の収穫及び分類等の作業を行う場合に農産物の品質を即時に検出し、農産物分類の正確度を向上させるために、使用者の手に着用可能な農産物検出用電子装置を提供することを目的とする。
【課題を解決するための手段】
【０００４】
本考案の一態様は、掌部及び少なくとも１つの指部を含む手袋本体と、農産物に対して外形感知を行って、農産物の少なくとも１つの曲率情報を取得するための、手袋本体の少なくとも１つの指部又は掌部に設けられる少なくとも１つの屈曲感知ユニットと、農産物に対して色感知を行って、農産物の少なくとも１つの色情報を取得するための、手袋本体の掌部又は指部に設けられる少なくとも１つの色感知ユニットと、を備える農産物検出用電子装置を提供する。
【０００５】
本考案の１つ又は複数の実施例によると、前記屈曲感知ユニットの一方は、少なくとも１つの指部の第１の指部から手袋本体の第２の指部又は掌部まで延出する。
【０００６】
本考案の１つ又は複数の実施例によると、前記第１の指部は親指部であり、且つ前記第２の指部は人差し指部である。
【０００７】
本考案の１つ又は複数の実施例によると、前記農産物検出用電子装置は、前記農産物に対して重量感知を行って、農産物の重量情報を取得するための、手袋本体の掌部に設けられる圧力感知ユニットを更に備える。
【０００８】
本考案の１つ又は複数の実施例によると、前記農産物検出用電子装置は、曲率情報及び色情報に対して算出処理を行って、算出処理結果及び農産物の対応のランク分け規則情報に基づいて農産物の類別を決めるための、屈曲感知ユニット及び色感知ユニットに接合されるように、手袋本体の中に設けられる処理ユニットを更に備える。
【０００９】
本考案の１つ又は複数の実施例によると、前記農産物検出用電子装置は、曲率情報、色情報、算出処理結果又は農産物の類別を提示するための、手袋本体の中に設けられる通知ユニットを更に備える。
【００１０】
本考案の１つ又は複数の実施例によると、前記通知ユニットは、ディスプレイ、パイロットランプ、音声プレイヤー又は振動器である。
【００１１】
本考案の１つ又は複数の実施例によると、前記農産物検出用電子装置は、屈曲感知ユニット、色感知ユニット及び処理ユニットに給電するための、手袋本体の中に設けられる給電ユニットを更に備える。
【００１２】
本考案の１つ又は複数の実施例によると、前記農産物検出用電子装置は、曲率情報又は色情報を記憶するための、手袋本体の中に設けられるデータ記憶ユニットを更に備える。
【００１３】
本考案の１つ又は複数の実施例によると、前記農産物検出用電子装置は、曲率情報又は色情報を外部システムに伝送するための、手袋本体の中に設けられる通信ユニットを更に備える。
【図面の簡単な説明】
【００１４】
実施例及びそのメリットをより完璧に理解させるために、以下、添付図面に合わせて説明する。
【図１Ａ】本考案のある実施例に係る農産物検出用電子装置の対向する両側を示す外形模式図である。
【図１Ｂ】本考案のある実施例に係る農産物検出用電子装置の対向する両側を示す外形模式図である。
【図２】本考案のある実施例に係る農産物検出用電子装置を示す機能ブロック図である。
【図３】本考案のある実施例に係る農産物検出用電子装置の素子配置を示す模式図である。
【図４】本考案のある実施例に係る農産物検出用電子装置の素子配置を示す模式図である。
【図５】本考案のある実施例に係る農産物検出用電子装置の素子配置を示す模式図である。
【考案を実施するための形態】
【００１５】
以下、本考案の実施例を詳しく検討する。しかしながら、理解すべきなのは、実施例の提供された数多くの適用可能な概念は、様々な特定内容に実施されることができる。検討や開示された実施例は、本考案の範囲を限定するものではなく、説明するためのものだけである。
【００１６】
図１Ａ及び図１Ｂを同時に参照されたい。図１Ａ及び図１Ｂは、それぞれ本考案のある実施例に係る農産物検出用電子装置１００の後側及び前側を示す外形模式図である。図１Ａ及び図１Ｂに示すように、農産物検出用電子装置１００は、手袋本体の外形を有し、且つ使用者の手に好適に着用される。農産物検出用電子装置１００は、手袋本体１１０を備える。手袋本体１１０は、甲部１１０Ｂ、掌部１１０Ｐ、指部（親指部１１０Ｔ、人差し指部１１０Ｉ、中指部１１０Ｍ、薬指部１１０Ｒ及び小指部１１０Ｌを含む）及び腕部１１０Ｗに分けられる。親指部１１０Ｔ、人差し指部１１０Ｉ、中指部１１０Ｍ、薬指部１１０Ｒ、小指部１１０Ｌ及び腕部１１０Ｗは、何れも掌部１１０Ｐに隣接する前側及び甲部１１０Ｂに隣接する後側を有する。手袋本体１１０は、材料として、ポリエステル、ナイロン、綿、それらの組み合わせ又は他の類似な材料を含んでもよく、且つ電子素子の収納空間を有する。手袋本体１１０は、その中に設けられる電子素子を保護するために、防水、防塵及び防震等の機能を有する。また、手袋本体１１０の各部の材質及び構造は、使用の要求に応じて設計されてよい。使用者が農産物検出用電子装置１００を容易に着脱するために、例としては、腕部１１０Ｗは、ナイロンフック構造を有するように設計されてもよい。
【００１７】
図２を参照されたい。図２は、図１Ａ及び図１Ｂに示した農産物検出用電子装置１００を示す機能ブロック図である。図２に示すように、手袋本体１１０に加え、農産物検出用電子装置１００は、屈曲感知ユニット２１０、圧力感知ユニット２２０、色感知ユニット２３０、光反射感知ユニット２４０、処理ユニット２５０、通知ユニット２６０、データ記憶ユニット２７０、通信ユニット２８０及び給電ユニット２９０を更に備える。
【００１８】
屈曲感知ユニット２１０は、農産物に対して外形感知を行って、農産物の曲率情報を取得することに用いられ、手袋本体１１０の外部又はその内部に設けられる。屈曲感知ユニット２１０は、抵抗値がその屈曲度に依存する抵抗型屈曲センサであってもよいので、屈曲感知ユニット２１０の抵抗値に応じて農産物の曲率情報を得ることができる。他の実施例において、屈曲感知ユニット２１０は、光屈曲センサ（ｏｐｔｉｃａｌ  ｂｅｎｄ  ｓｅｎｓｏｒ）、ピエゾ屈曲センサ（ｐｉｅｚｏ  ｂｅｎｄ  ｓｅｎｓｏｒ）又は農産物の外形を好適に感知する他の如何なるセンサであってもよい。
【００１９】
圧力感知ユニット２２０は、農産物を感知し、農産物の重量情報を取得することに用いられ、手袋本体１１０の外部又はその内部に設けられる。圧力感知ユニット２２０は、抵抗値が物件重量により与えられた圧力度に依存する抵抗型圧力センサであってよいので、圧力感知ユニット２２０の抵抗値に応じて農産物の重量情報を得ることができる。他の実施例において、圧力感知ユニット２２０は、空気型圧力センサ又は物件重量により与えられた圧力を好適に感知する他の如何なるセンサであってもよい。
【００２０】
色感知ユニット２３０は、農産物に対して色感知を行って、農産物の色情報を取得することに用いられ、手袋本体１１０の外部又はその内部に設けられる。色感知ユニット２３０は、３原色の光（つまり、赤色光、緑色光及び青色光）の成分を含む光源を発出して、農産物の表面から反射光を受光して、受光した反射光を農産物の色情報に変換することができる。ある実施例において、色感知ユニット２３０は、自ら光源を発出せずに、直接農産物の表面から環境光の反射光を受光してもよい。
【００２１】
光反射感知ユニット２４０は、農産物の光反射を感知して、農産物の光反射情報を取得することに用いられ、手袋本体１１０の外部又はその内部に設けられる。光反射感知ユニット２４０は、赤外線を発射して受光して、反射される赤外線の強度に基づいて農産物が検出されているかを判断する赤外線センサであってもよい。
【００２２】
好ましい一実施例において、農産物検出用電子装置は、処理ユニット２５０が屈曲感知ユニット２１０及び色感知ユニット２３０に接合するように内部に設けられる手袋本体１１０を備える。屈曲感知ユニット２１０は、手袋本体１１０の指部、例えば、２つの指の根部の接続点に設けられ、農産物の外形を感知し、農産物の曲率情報を取得することができる。色感知ユニット２３０は、手袋本体１１０の指部、例えば、指先部に設けられ、農産物の色を感知し、農産物の色情報を取得することができる。
【００２３】
別の実施例において、処理ユニット２５０は、屈曲感知ユニット２１０、圧力感知ユニット２２０、色感知ユニット２３０及び光反射感知ユニット２４０に接合されるように手袋本体１１０の内部に設けられ、屈曲感知ユニット２１０、圧力感知ユニット２２０、色感知ユニット２３０及び光反射感知ユニット２４０のそれぞれにより得られた曲率情報、重量情報、色情報及び光反射情報に対して算出処理を行って、それにより算出処理結果を生成させる。反射赤外線の強度によると、検出されている農産物がある場合、処理ユニット２５０は、農産物の検出計数を増やし、且つ算出処理結果及び農産物の対応のランク分け規則情報に基づいて農産物の類別を決める。処理ユニット２５０は、例えば、常用プロセッサ（ｃｏｎｖｅｎｔｉｏｎａｌ  ｐｒｏｃｅｓｓｏｒ）、デジタルシグナルプロセッサ（ｄｉｇｉｔａｌ  ｓｉｇｎａｌ  ｐｒｏｃｅｓｓｏｒ；ＤＳＰ）、マイクロプロセッサ（ｍｉｃｒｏｐｒｏｃｅｓｓｏｒ）、特定用途向け集積回路（ａｐｐｌｉｃａｔｉｏｎ-ｓｐｅｃｉｆｉｃ  ｉｎｔｅｇｒａｔｅｄ  ｃｉｒｃｕｉｔ；ＡＳＩＣ）等であってよいが、これらに限定されない。
【００２４】
通知ユニット２６０は、農産物の曲率情報、色情報、算出処理結果、検出計数及び／又はその類別を提示することに用いられ、手袋本体１１０の外部又はその内部に設けられる。通知ユニット２６０は、画像、色、音声、振動又は他の手段を利用して、農産物の曲率情報、色情報、算出処理結果又はその類別を提示することができる。通知ユニット２６０は、ディスプレイ、パイロットランプ、音声プレイヤー、振動器、ブザー等であってよいが、これらに限定されない。他の実施例において、通知ユニット２６０は、手袋本体１１０から独立した通知装置であってもよい。
【００２５】
例としては、農産物のランク分け規則情報としては、特優質、特級、優れ及び良等の４つのランク及びそれらに対応するランク分け規則情報を含んでもよい。農産物検出用電子装置１００によって検出された農産物の算出処理結果が対応の「特優質」というランクのランク分け規則情報に該当すると、処理ユニット２５０は、この農産物の類別が「特優質」というランクであることを決める。また、通知ユニット２６０がディスプレイである場合、通知ユニット２６０は、「特優質」という２つの文字又は使用者に直接この農産物の類別が「特優質」というランクであることを知らせるための如何なる画面を表示する。通知ユニット２６０は、音声プレイヤーである場合、「特優質」を音声で放送して、使用者に知らせる。
【００２６】
データ記憶ユニット２７０は、手袋本体１１０の内部に設けられ、農産物の曲率情報、色情報、算出処理結果、ランク分け規則情報、検出計数及び／又はその類別を記憶することに用いられる。データ記憶ユニット２７０は、例えば、ランダムアクセスメモリ（ｒａｎｄｏｍ  ａｃｃｅｓｓ  ｍｅｍｏｒｙ；ＲＡＭ）、ＵＳＢフラッシュドライブ（ＵＳＢ  ｆｌａｓｈ  ｄｒｉｖｅ）、ＳＤメモリーカード（ｓｅｃｕｒｅ  ｄｉｇｉｔａｌ  ｍｅｍｏｒｙ  ｃａｒｄ）、磁気テープ（ｍａｇｎｅｔｉｃ  ｔａｐｅ）、ハードディスク（ｈａｒｄ  ｄｉｓｋ）、ソリッドステートドライブ（ｓｏｌｉｄ  ｓｔａｔｅ  ｄｉｓｋ；ＳＳＤ）、フラッシュメモリ又は電子データを好適に記憶する他の記憶装置であってよいが、これらに限定されない。
【００２７】
通信ユニット２８０は、農産物の曲率情報、色情報、算出処理結果、ランク分け規則情報及び／又はその類別を外部システムに伝送することに用いられ、手袋本体１１０の外部又は内部に設けられる。通信ユニット２８０は、如何なる有線通信技術（例えば、ＵＳＢ、ツイストペアケーブル、同軸ケーブル）又は無線通信技術（例えば、赤外線、ＷｉＦｉ（登録商標）、ブルートゥース（登録商標）等）によってデータを伝送するインタフェースであってよい。
【００２８】
給電ユニット２９０は、屈曲感知ユニット２１０、圧力感知ユニット２２０、色感知ユニット２３０、光反射感知ユニット２４０、処理ユニット２５０、通知ユニット２６０、データ記憶ユニット２７０及び通信ユニット２８０に給電することに用いられ、手袋本体１１０の外部又はその内部に設けられる。給電ユニット２９０は、例えば、太陽電池、リチウム電池、水銀電池、炭素亜鉛電池等の給電可能な素子であってよいが、これらに限定されない。
【００２９】
ある実施例において、農産物検出用電子装置１００は、給電ユニット２９０に充電し、及び／又は屈曲感知ユニット２１０、圧力感知ユニット２２０、色感知ユニット２３０、光反射感知ユニット２４０、処理ユニット２５０、通知ユニット２６０、データ記憶ユニット２７０及び通信ユニット２８０に給電するように、外部電源から電力を受けるための受電インタフェース（図示せず）を更に備えてもよい。受電インタフェース（図示せず）は、有線電力伝送技術又は無線電力伝送技術（例えば、電磁誘導）による如何なるインタフェースであってもよい。別の実施例において、農産物検出用電子装置１００は、給電ユニット２９０を備えずに、外部電源に接続されて、外部電源から屈曲感知ユニット２１０、圧力感知ユニット２２０、色感知ユニット２３０、光反射感知ユニット２４０、処理ユニット２５０、通知ユニット２６０、データ記憶ユニット２７０及び通信ユニット２８０に給電するための受電インタフェース（図示せず）のみを備えてもよい。ある実施例において、通信ユニット２８０は、受電インタフェース（図示せず）の機能を有してもよく、つまり、受電インタフェース（図示せず）は通信ユニット２８０であってもよい。
【００３０】
ある実施例において、屈曲感知ユニット２１０、圧力感知ユニット２２０、色感知ユニット２３０及び／又は光反射感知ユニット２４０の感知結果が異常であり、或は通信ユニット２８０の通信接続状態が異常であり、或は給電ユニット２９０の電量が不足になる場合、処理ユニット２５０は、通知ユニット２６０を対応の情報を提示するように制御して、例えば、農産物検出用電子装置１００によって農産物検出用電子装置１００の通信接続状態を改めて検出、検査し、又は農産物検出用電子装置１００に充電すること等の、対応の操作を行うように使用者に知らせることができる。
【００３１】
ある実施例において、農産物検出用電子装置１００は、色感知ユニット２３０によって光反射感知を行って、反射光の強度に基づいて農産物が検出されているかを判断することができる。色感知ユニット２３０は、農産物に対して有色光反射感知又は赤外線反射感知を行って、反射赤外線又は反射可視光の強度に基づいて農産物が検出されているかを判断することができる。この場合、赤外線感知ユニット２４０は、機能が色感知ユニット２３０により代わられるので、農産物検出用電子装置１００から除去されてもよい。つまり、農産物検出用電子装置１００は、赤外線感知ユニット２４０を備えなくてもよい。
【００３２】
また、ある実施例において、屈曲感知ユニット２１０、圧力感知ユニット２２０、色感知ユニット２３０、光反射感知ユニット２４０のそれぞれにより得られた農産物の曲率情報、重量情報、色情報及び光反射情報は、通信ユニット２８０を介して外部システム（例えば、クラウドサーバー）に伝送され、且つ通信ユニット２８０を介して外部システムから算出処理結果及び／又は農産物の対応のランク分け規則情報を受信することができる。つまり、農産物検出用電子装置１００に通信接続される外部システムは、農産物の曲率情報、重量情報、色情報及び光反射情報に対して算出処理を行って、それにより算出処理結果を生成させ、及び農産物の類別を決め、更に算出処理結果及び／又は農産物の対応のランク分け規則情報を農産物検出用電子装置１００に伝送することができる。農産物検出用電子装置１００の通知ユニット２６０は、受信した算出処理結果又は農産物の類別を提示することができる。
【００３３】
図３は、本考案のある実施例に係る農産物検出用電子装置１００Ａの素子配置を示す模式図である。農産物検出用電子装置１００Ａは、外形設計及び素子構造がそれぞれ図１Ａ〜図２に示す農産物検出用電子装置１００の外形模式図及び機能ブロック図と同じ又は類似である。図３に示すように、屈曲感知ユニット２１０が親指部１１０Ｔ及び人差し指部１１０Ｉの中に設けられ、圧力感知ユニット２２０が掌部１１０Ｐの中に設けられ、色感知ユニット２３０が親指部１１０Ｔの中に設けられ、光反射感知ユニット２４０が人差し指部１１０Ｉの中に設けられ、処理ユニット２５０及び通信ユニット２８０が甲部１１０Ｂの中に設けられ、通知ユニット２６０、データ記憶ユニット２７０及び給電ユニット２９０が腕部１１０Ｗの中に設けられる。
【００３４】
屈曲感知ユニット２１０、圧力感知ユニット２２０、色感知ユニット２３０及び光反射感知ユニット２４０の配置位置を、互いに重ならないようにしてよい。また、色感知ユニット２３０及び光反射感知ユニット２４０の受光側は、色感知ユニット２３０及び光反射感知ユニット２４０の感知感度を増やすために、手袋本体１１０により被覆されずに、手袋本体１１０外に露出してもよい。他の実施例において、手袋本体１１０は、色感知ユニット２３０及び光反射感知ユニット２４０を被覆してもよい。色感知ユニット２３０及び光反射感知ユニット２４０が農産物から反射光を受光するために、手袋本体１１０の色感知ユニット２３０及び光反射感知ユニット２４０を被覆する区域が透明材料により構成されてよい。
【００３５】
図３に示す各素子の配置態様以外、本考案の農産物検出用電子装置は、他の異なる素子配置態様を有してもよい。例としては、本考案の農産物検出用電子装置に、複数の色感知ユニット及び／又は複数の屈曲感知ユニットを設置してもよい。図４は、本考案のある実施例に係る農産物検出用電子装置１００Ｂの素子配置を示す模式図である。農産物検出用電子装置１００Ｂは、複数の色感知ユニット２３０（１）〜２３０（６）を備えることに、農産物検出用電子装置１００Ａと異なっている。図４に示すように、色感知ユニット２３０（１）〜２３０（６）がそれぞれ親指部１１０Ｔ、人差し指部１１０Ｉ、中指部１１０Ｍ、薬指部１１０Ｒ、小指部１１０Ｌ及び掌部１１０Ｐに設けられる。農産物検出用電子装置１００Ｂの他の素子は、農産物検出用電子装置１００Ａの屈曲感知ユニット２１０、圧力感知ユニット２２０、光反射感知ユニット２４０、処理ユニット２５０、通知ユニット２６０、データ記憶ユニット２７０、通信ユニット２８０及び給電ユニット２９０と同じ又は類似であるので、簡単に説明するために、これらの素子は図４に示されていない。また更に、色感知ユニット２３０（１）〜２３０（６）は、他の素子と重ならずに設けられてよく、且つそれぞれ親指部１１０Ｔの前側、人差し指部１１０Ｉの前側、中指部１１０Ｍの前側、薬指部１１０Ｒの前側、小指部１１０Ｌの前側及び掌部１１０Ｐの何れかに設けられてもよい。
【００３６】
また、図５は、本考案のある実施例に係る農産物検出用電子装置１００Ｃの素子配置を示す模式図である。農産物検出用電子装置１００Ｃは、複数の屈曲感知ユニット２１０（１）〜２１０（６）を備えることに、農産物検出用電子装置１００Ａと異なっている。図５に示すように、農産物検出用電子装置１００Ｃにおいて、屈曲感知ユニット２１０（１）が親指部１１０Ｔから人差し指部１１０Ｉまで延出し、屈曲感知ユニット２１０（２）〜２１０（６）がそれぞれ親指部１１０Ｔ、人差し指部１１０Ｉ、中指部１１０Ｍ、薬指部１１０Ｒ及び小指部１１０Ｌから掌部１１０Ｐまで延出する。農産物検出用電子装置１００Ｃの他の素子は、農産物検出用電子装置１００Ａの圧力感知ユニット２２０、色感知ユニット２３０、光反射感知ユニット２４０、処理ユニット２５０、通知ユニット２６０、データ記憶ユニット２７０、通信ユニット２８０及び給電ユニット２９０と同じ又は類似であるので、簡単に説明するために、これらの素子は図５に示されていない。また更に、屈曲感知ユニット２１０（１）〜２１０（６）は、互いに重ならずに設けられ、また他の素子と重ならずに設けられてよく、且つその何れか一方が手袋本体１１０の前側又は後側に設けられてもよい。例としては、屈曲感知ユニット２１０（１）が親指部１１０Ｔの後側から人差し指部１１０Ｉの後側まで延出し、屈曲感知ユニット２１０（２）〜２１０（６）がそれぞれ親指部１１０Ｔ、人差し指部１１０Ｉ、中指部１１０Ｍ、薬指部１１０Ｒ及び小指部１１０Ｌの後側から甲部１１０Ｂまで延出するように変更してもよい。また、屈曲感知ユニット２１０（１）〜２１０（６）の長さは、手袋本体のサイズ、材質及び／又は他の素子の配置に応じて変更してもよい。
【００３７】
注意すべきなのは、本考案の農産物検出用電子装置の各素子は、図３〜図５に示す各素子の配置位置に制限されなく、手袋本体における配置位置が異なる要求に応じて変更されてもよく。例としては、光反射感知ユニット２４０が掌部１１０Ｐの中に設けられてもよく、処理ユニット２５０及び通信ユニット２８０が腕部１１０Ｗの中に設けられるように変更されてもよい。そのため、農産物検出用電子装置の各素子が手袋本体の如何なる位置に配置されても、本考案の範囲に属する。
【００３８】
本考案の農産物検出用電子装置の手袋本体の外形設計も、図１Ａ及び図１Ｂに示す外形設計に制限されなく、異なる要求に応じて変更されてもよい。例としては、手袋本体の中指部、薬指部及び小指部に如何なる素子も設けられていない場合、手袋本体の中指部、薬指部及び小指部を除去してもよい。図３に示すように、屈曲感知ユニット２１０が手袋本体１１０の親指部１１０Ｔ及び人差し指部１１０Ｉに設けられ、色感知ユニット２３０が手袋本体１１０の人差し指部１１０Ｉに設けられ、手袋本体１１０の中指部１１０Ｍ、薬指部１１０Ｒ及び小指部１１０Ｌの中に如何なる素子も設けられていないので、手袋本体１１０の中指部１１０Ｍ、薬指部１１０Ｒ及び小指部１１０Ｌを除去してもよい。つまり、図３に示す手袋本体１１０は、親指部１１０Ｔ及び人差し指部１１０Ｉのみを含み、中指部１１０Ｍ、薬指部１１０Ｒ及び小指部１１０Ｌを含まなくてもよい。
【００３９】
上記のように、本考案の農産物検出用電子装置は、使用者の手に着用可能であり、使用者が農産物の収穫及び分類等の作業を行う場合に農産物の品質を即時に検出し、農産物分類の正確度を向上させることができることが判明される。
【００４０】
本考案の実施形態を前述の通りに開示したが、これは、本考案を限定するものではなく、当業者であれば、本考案の精神と範囲から逸脱しない限り、多様の変更や修正を加えてもよく、したがって、本考案の保護範囲は、後の実用新案登録請求の範囲で指定した内容を基準とする。
【符号の説明】
【００４１】
１００、１００Ａ、１００Ｂ、１００Ｃ  農産物検出用電子装置
１１０  手袋本体
１１０Ｂ  甲部
１１０Ｉ  人差し指部
１１０Ｌ  小指部
１１０Ｍ  中指部
１１０Ｐ  掌部
１１０Ｒ  薬指部
１１０Ｔ  親指部
１１０Ｗ  腕部
２１０、２１０（１）〜２１０（６）  屈曲感知ユニット
２２０  圧力感知ユニット
２３０、２３０（１）〜２３０（６）  色感知ユニット
２４０  光反射感知ユニット
２５０  処理ユニット
２６０  通知ユニット
２７０  データ記憶ユニット
２８０  通信ユニット
２９０  給電ユニット
【図１Ａ】
0003209203.tif 000003
【図１Ｂ】
0003209203.tif 000004
【図２】
0003209203.tif 000005
【図３】
0003209203.tif 000006
【図４】
0003209203.tif 000007
【図５】
0003209203.tif 000008